(57)【要約】【課題】  従来の脚温器と同様の寸法を維持しつつ安全性を確保した振動機構付き脚温器を提供する。【解決手段】  （１）脚温器の内底面のうち両足を置く位置の間に振動機構を収納するためのスペースを確保する。（２）脚温器底面に換気用を設けるとともにモータ等の動力を利用して振動機構内の熱気を外部に排気する。【選択図】          図２
2006223552.tif 000002
【特許請求の範囲】
【請求項１】
遠赤外線の照射により脚部を加温する脚温器であって、
前記脚温器の筐体内底面は一部盛り上がっており、当該盛り上がり部分に脚部に振動を与える振動機構を収納していることを特徴とする脚温器。
【請求項２】
前記脚温器の筐体底面には換気孔が設けられており、前記振動機構は収納室内を換気する手段をさらに備えていることを特徴とする請求項１に記載の脚温器。
【請求項３】
前記脚温器の筐体内底面は、前記盛り上がり部分以外において、少なくとも脚部の足裏からふくらはぎまでを覆う深さを有することを特徴とする請求項１又は２に記載の脚温器。
【発明の詳細な説明】
【技術分野】
【０００１】
本発明は、人の脚部を温める脚温器に関し、特に、脚部に振動を与える機構を備えた脚温器に関するものである。
【背景技術】
【０００２】
従来、遠赤外線の照射などにより人の脚部を温めてツボを刺激し血行を促進することにより、疲労回復や健康増進を図ることが広く行われている。特許文献１には、人の足首より先の部分を密閉した容器の中に入れて、遠赤外線による加温と加湿手段による加湿を行う足温器が開示されている。
【０００３】
さらに、足首より先の部分のみならず、ひざから先のふくらはぎ、足首、足裏の全体にわたって温めることができれば、より高い効果を得ることができると考えられる。そのような脚温器の例を図５及び図６に示す。また、特許文献２には、温熱器により少なくとも足裏からふくらはぎまでの部分を覆い、遠赤外線ヒータにより温める技術が開示されている。
【特許文献１】特開２０００−５１３７６号公報
【特許文献２】特開２０００−１０２５５５号公報
【発明の開示】
【発明が解決しようとする課題】
【０００４】
一方で、脚部に振動を与えることによりマッサージ効果や血行促進を図ることも広く行われている。図７は、足裏に振動を与える機器の例を示す図である。図７に示すように、この機器の盤面上に足裏を載せた状態で毎分数百回程度の振動が足裏に伝えられるようになっている。
【０００５】
ところで、上記した脚温器と脚部に振動を与える機器とは、それぞれ別々に販売され使用されているのが現状である。これらの機器はともに、脚部への刺激により疲労回復や健康増進を図ることを目的とするものであるので、両方の機能を兼ね備えた機器があれば、尚好ましい。
【０００６】
しかしながら、そのような機器を作成するにあたっては以下のような問題点をクリアしなければならない。
（１）脚温器も脚部に振動を与える機器も、主に家庭内で使用されるものであるので、両者の機能を兼ね備えた機器を作成するとなると、機器のサイズが大きくなりすぎてしまう。例えば、図７に示すように足裏に振動を与えるためには、機器の底部にモータ等を含む振動機構を収納するスペースが必要となる。そうすると、機器全体の高さが増してしまう上に、足を置く位置も高くなってしまうため、ユーザが従来と同様の体勢で（例えば、図６に示すように座った姿勢で）機器を使用することが困難になってしまう。
（２）振動機構は電動式モータ等により振動を発生させるものが一般的であるが、これを脚温器に併設すると、脚温器から伝えられる熱と自らが発する熱とで過熱してしまい、熱暴走や発火等を起こしてしまう危険性がある。
【０００７】
本発明は、このような実情に鑑みてなされたものであり、従来の脚温器と同様の寸法を維持しつつ安全性を確保した振動機構付き脚温器を提供しようとするものである。
【課題を解決するための手段】
【０００８】
上記解決課題に鑑みて鋭意研究の結果、本発明者は、脚温器の内底面のうち両足を置く位置の間に振動機構を収納するためのスペースを確保することにより上記（１）の問題点を解決することができ、また、脚温器底面に換気用を設けるとともにモータ等の動力を利用して振動機構内の熱気を外部に排気することにより上記（２）の問題点を解決することができることに想到した。
【０００９】
すなわち、本発明は、遠赤外線の照射により脚部を加温する脚温器であって、前記脚温器の筐体内底面は一部盛り上がっており、当該盛り上がり部分に脚部に振動を与える振動機構を収納した脚温器を提供するものである。
【００１０】
本発明では、前記脚温器の筐体底面には換気孔が設けられており、前記振動機構は収納室内を換気する手段をさらに備えていることを特徴とする。これにより、振動機構が過熱するのを防ぐことができる。
【００１１】
本発明では、前記脚温器の筐体内底面は、前記盛り上がり部分以外において、少なくとも脚部の足裏からふくらはぎまでを覆う深さを有することを特徴とする。これにより、良好な加温効果が得られる。
【発明の効果】
【００１２】
以上、説明したように、本発明の振動機構を備えた脚温器では、底部に振動機構を備えながらも、従来の脚温器と同様の寸法形状を維持することが可能となり、さらに、振動機構部分の換気を行うことにより振動機構の過熱に対する安全性が確保されることとなる。
【発明を実施するための最良の形態】
【００１３】
以下、添付図面を参照しながら、本発明の振動機構を備えた脚温器を実施するための最良の形態を詳細に説明する。図１〜図４は、本実施形態の脚温器の構成を概略的に示す図であり、これらの図において、同一の符号を付した部分は同一物を表わし、基本的な構成及び動作は同様であるものとする。
【００１４】
図１は、本実施形態の脚温器の正面一部断面図である。図２は、本実施形態の脚温器の側面断面図である。図示するように、本実施形態の脚温器は、本体部１０と底部２０とが接合されてなるものである。接合部には密閉性のある部材を用いたり、本体部１０と底部２０と間仕切りとなる部分には断熱性の高い材料を用いるなどして、本体部１０内部の熱が底部２０に伝わるのを防止するのが好ましい。尚、本体部１０及び底部２０は、図示する形状に限定されるわけではなく、本体部内に底部がほぼ密閉された脚温用空間が確保でき、底部に振動機構を収納するための空間が確保できれば、どのような形状であってもよい。例えば、本体部１０及び底部２０は一体成形されていてもよい。
【００１５】
図１及び図２において、本実施形態の脚温器の本体部１０は、内壁面に脚温用の遠赤外線ヒータを備えており、上面の一部に操作パネル１２を備えている。操作パネル１２により赤外線ヒータと後述する振動機構とを操作することができるようになっている。一方、本実施形態の脚温器の底部２０は、電動モータ２２とファン２４とを備えている。電動モータ２２の動力により本体部１０の底面に振動が発生するとともに、ファン２４が回転するようになっている。
【００１６】
図示するように、本実施形態の脚温器では、底部２０の上壁が一部盛り上がった形状となっており、この盛り上がった部分の下部に電動モータ２２が収納されるようになっている。このような構成により、本実施形態の脚温器は、本体部１０と底部２０とを合わせた高さを従来の脚温器とほぼ同じ高さとすることができ、また、本体部１０内部の脚温用空間の深さも、盛り上がり部分を除いては従来の脚温器とほぼ同じ深さとすることができる。そして、図３に示すように、上記盛り上がり部分の両脇にユーザの足の置き場を配置することとしている。これにより、本実施形態の脚温器は、底部に振動機構を備えながらも、従来の脚温器と同様の寸法形状を維持することが可能となっている。
【００１７】
図４は、本実施形態の脚温器の底面図である。図示するように、本実施形態の脚温器では、底部２０の底面の２箇所に換気孔２６を設けている。図２に示すように換気孔２６を適当な位置に設けることにより、ファン２４が作動すると、底部２０内に気流が生じ、一方の群の孔から吸気され他方の群の孔から排気されるようになる。これにより、振動機構が作動している間、底部２０内が換気されるので、電動モータ２２が過熱するのを防ぐことができる。
【００１８】
以上、本発明の振動機構を備えた脚温器について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００１９】
【図１】一実施形態の脚温器の正面一部断面図である。
【図２】一実施形態の脚温器の側面断面図である。
【図３】一実施形態の脚温器の上面図である。
【図４】一実施形態の脚温器の底面図である。
【図５】従来のふくらはぎ、足首、足裏の全体にわたって温める脚温器の上面図及び底面図である。
【図６】従来のふくらはぎ、足首、足裏の全体にわたって温める脚温器の使用状態を示す図である。
【図７】従来の脚部に振動を与える機器の例を示す図である。
【符号の説明】
【００２０】
１０  本体部
１２  操作パネル
２０  底部
２２  電動モータ
２４  ファン
２６  換気孔
【図１】
2006223552.tif 000003
【図２】
2006223552.tif 000004
【図３】
2006223552.tif 000005
【図４】
2006223552.tif 000006
【図５】
2006223552.tif 000007
【図６】
2006223552.tif 000008
【図７】
2006223552.tif 000009